(57)【要約】      （修正有）【課題】圧着レバーの回転支点を複数設けて作業者が使いやすいヒートシーラーを提供する。【解決手段】基台部１と、基台部にその長手方向に沿って配置されるヒーター部１００と、基台部の上側に配置される圧着レバー２と、圧着レバーにヒーターと対応する位置に長手方向に沿って配置される圧着部２００と、を備え、ヒーターの長手方向の両側に設けられた第１支軸３および第２支軸３ｘと、圧着レバー側に設けられ、第１支軸および第２支軸にそれぞれ嵌合可能な第１嵌合部４および第２嵌合部と、第１支軸と第１嵌合部を嵌合状態と非嵌合状態に切り替えるためのロックレバー５と、第２支軸と第２嵌合部を嵌合状態と非嵌合状態に切り替えるためのロックレバーと、を備え、圧着レバーを第１支軸周りに回転させる状態と、第２支軸周りに回転させる状態を選択可能に構成した。【選択図】図３
2019108160.tif 000002
【特許請求の範囲】
【請求項１】
被シール物のシール部をヒーターにより加熱溶着することでシールするヒートシーラーであって、
基台部と、基台部にその長手方向に沿って配置されるヒーターと、
基台部の上側に配置される圧着レバーと、
圧着レバーにヒーターと対応する位置に前記長手方向に沿って配置される圧着部と、を備え、ヒーターと圧着部により前記シール部を圧着した状態でシール部を加熱溶融可能に構成し、さらに、
前記ヒーターの長手方向の両側に設けられた第１支軸および第２支軸と、
前記圧着レバー側に設けられ、第１支軸および第２支軸にそれぞれ嵌合可能な第１嵌合部および第２軸嵌合部と、
前記第１支軸と第１嵌合部を嵌合状態と非嵌合状態に切り替えるための第１ロック機構と、
前記第２支軸と第２嵌合部を嵌合状態と非嵌合状態に切り替えるための第２ロック機構と、を備え、前記圧着レバーを第１支軸周りに回転させる状態と、第２支軸周りに回転させる状態を選択可能に構成したことを特徴とするヒートシーラー。
【請求項２】
前記第１支軸と第２支軸は、それぞれ、水平状態に設置される水平軸部と、水平軸部の中央部から垂直下方に伸びる垂直軸部を有する略Ｔ字形に形成されており、
前記第１嵌合部と第２嵌合部は、それぞれ、水平軸部に上方から嵌合可能な逆Ｕ字形の嵌合体を有しており、圧着レバーを支軸周りに回転させたときに、所定角度で停止するようにストッパーを設けたことを特徴とする請求項１に記載のヒートシーラー。
【請求項３】
前記ストッパーは、前記嵌合体に形成された当接部が垂直軸部に当接するように構成されることを特徴とする請求項２に記載のヒートシーラー。
【請求項４】
前記垂直軸部を垂直方向にガイドするガイド体を備えており、前記第１支軸および第２支軸は、ガイド体に対して可動であると共に、付勢手段により垂直下方向に付勢されていることを特徴とする請求項２または３に記載のヒートシーラー。
【請求項５】
前記圧着レバーを前記所定角度回転させたとき、前記嵌合体の逆Ｕ字形の先端部分が、前記水平軸部とガイド体の上面側の間に入り込み、前記付勢手段の付勢力により挟持されることを特徴とする請求項４に記載のヒートシーラー。
【請求項６】
前記第１ロック機構および第２ロック機構は、それぞれ、ロック部材を備えており、水平軸部に沿った、前記嵌合体の両側に配置されていることを特徴とする請求項２〜５に記載のヒートシーラー。
【請求項７】
前記第１支軸と第１嵌合部を嵌合状態に設定し、前記第２支軸と第２嵌合部を嵌合状態に設定したときに、圧着部とヒーター間に作用する前記長手方向に沿った圧着力が均等になるように設定されていることを特徴とする請求項１〜６のいずれか１項に記載のヒートシーラー。
【発明の詳細な説明】
【技術分野】
【０００１】
本発明は、被シール物のシール部をヒーターにより加熱溶着することでシールするヒートシーラーに関するものである。
【背景技術】
【０００２】
かかるヒートシーラーとして、例えば、下記特許文献に開示されるインパルス式ヒートシーラーがあげられる。このヒートシーラーは、基台部と、基台部にその長手方向に沿って配置されるヒーターと、基台部の上側に配置される圧着レバーと、圧着レバーにヒーターと対応する位置に長手方向に沿って配置される圧着部を備えている。
【０００３】
シールを行うときは、圧着レバーを所定角度回転させて、基台部のヒーターの上に被シール物を載置させ、その後、圧着レバーを押し下げて圧着部により被シール物のシール部を圧着する。これにより、シール部をヒーターにより加熱溶着してシールさせることができる。
【先行技術文献】
【特許文献】
【０００４】
【特許文献１】特開２００９−４６６０３号公報
【発明の概要】
【発明が解決しようとする課題】
【０００５】
かかるヒートシーラーの課題は、以下の通りである。被シール物を載置する場合は、圧着レバーを基台部に設けられた支軸に対して回転させる必要があるが、支軸が１つしかないため決められた方向にしか回転できない。例えば、作業者には右利きと左利きの人がいるため、支軸の位置によって使いやすさが異なる。従って、使いやすくするためにヒートシーラーの置き方を変える必要があった。また、ヒートシーラーの置き方によっては、手前から回転するのがよいか、奥側から回転するのが良いか、作業者によって使いやすさの点で違いがあった。
【０００６】
本発明は上記実情に鑑みてなされたものであり、その課題は、圧着レバーの回転支点を複数設けて作業者が使いやすいヒートシーラーを提供することである。
【課題を解決するための手段】
【０００７】
上記課題を解決するため本発明に係るヒートシーラーは、被シール物のシール部をヒーターにより加熱溶着することでシールするヒートシーラーであって、
基台部と、基台部にその長手方向に沿って配置されるヒーターと、
基台部の上側に配置される圧着レバーと、
圧着レバーにヒーターと対応する位置に前記長手方向に沿って配置される圧着部とを備え、ヒーターと圧着部により前記シール部を圧着した状態でシール部を加熱溶融可能に構成し、さらに、
前記ヒーターの長手方向の両側に設けられた第１支軸および第２支軸と、
前記圧着レバー側に設けられ、第１支軸および第２支軸にそれぞれ嵌合可能な第１嵌合部および第２軸嵌合部と、
前記第１支軸と第１嵌合部を嵌合状態と非嵌合状態に切り替えるための第１ロック機構と、
前記第２支軸と第２嵌合部を嵌合状態と非嵌合状態に切り替えるための第２ロック機構と、を備え、前記圧着レバーを第１支軸周りに回転させる状態と、第２支軸周りに回転させる状態を選択可能に構成したことを特徴とするものである。
【０００８】
かかる構成によるヒートシーラーの作用・効果を説明する。基台部には、第１支軸と第２支軸の２つの支軸があり、圧着レバー側には、これらの支軸に嵌合する第１嵌合部と第２嵌合部がある。支軸と嵌合部が嵌合した状態では、この支軸を中心に圧着レバーを回転することができる。また、ロック機構が設けられており、支軸と嵌合部を嵌合状態と非嵌合状態に切り替えることができる。従って、第１支軸周りに圧着レバーを回転させる状態と、第２支軸周りに圧着レバーを回転させる状態とを選択することができる。例えば、ヒートシーラーを置きなおさなくても、左利きと右利きの両方の作業者に対応可能になる。その結果、圧着レバーの回転支点を複数設けて作業者が使いやすいヒートシーラーを提供することができる。
【０００９】
さらに、第１支軸と第２支軸の両方を非嵌合状態にすれば、圧着レバーを基台部から取り外すことができ、メンテナンス等の作業を行いやすくなる。
【００１０】
本発明において、前記第１支軸と第２支軸は、それぞれ、水平状態に設置される水平軸部と、水平軸部の中央部から垂直下方に伸びる垂直軸部を有する略Ｔ字形に形成されており、
前記第１嵌合部と第２嵌合部は、それぞれ、水平軸部に上方から嵌合可能な逆Ｕ字形の嵌合体を有しており、圧着レバーを支軸周りに回転させたときに、所定角度で停止するようにストッパーを設けたことが好ましい。
【００１１】
この構成によると、支軸は水平軸部と垂直軸部を有する略Ｔ字形に形成される。嵌合部は水平軸部に嵌合可能な逆Ｕ字形の嵌合体を有している。逆Ｕ字形であるので、嵌合体を上方から水平軸部に嵌合できる。圧着レバーを支軸周りに回転させたときに、ストッパーにより所定角度で停止する。従って、圧着レバーの操作が安定する。
【００１２】
本発明に係る前記ストッパーは、前記嵌合体に形成された当接部が垂直軸部に当接するように構成されることが好ましい。
【００１３】
嵌合体に形成された当接部を支軸の水平軸部に当接させることでストッパーを構成する。従って、ストッパーとして専用の部材を設けることなくストッパーを構成することができる。
【００１４】
本発明において、前記垂直軸部を垂直方向にガイドするガイド体を備えており、前記第１支軸および第２支軸は、ガイド体に対して可動であると共に、付勢手段により垂直下方向に付勢されていることが好ましい。
【００１５】
垂直軸部をガイドするガイド体を設けることで、支軸を垂直方向にガイドすることができる。また、付勢手段により支軸は下方に付勢されているので、圧着レバーによりシール部を圧着させるときに、この付勢力を圧着方向に作用させることができる。ガイド体を設けているので圧着レバーの圧着方向の動作も安定させることができる。
【００１６】
本発明において、前記圧着レバーを前記所定角度回転させたとき、前記嵌合体の逆Ｕ字形の先端部分が、前記水平軸部とガイド体の上面側の間に入り込み、前記付勢手段の付勢力により挟持されることが好ましい。
【００１７】
この構成によると、圧着レバーに設けられた嵌合体の一部が、基台部側の水平軸部とガイド体の上面の間に入り込む。さらに、水平軸部は付勢手段により垂直下方に付勢されているので、嵌合体の一部が挟持される。従って、圧着レバーを所定角度回転させたときに、安定してその位置に保持させることができる。
【００１８】
本発明に係る前記第１ロック機構および第２ロック機構は、それぞれ、ロック部材を備えており、水平軸部に沿った、前記嵌合体の両側に配置されていることが好ましい。
【００１９】
嵌合体の両側にロック機構を配置することで、ロック動作と解除動作を安定して行うことができる。
【００２０】
本発明において、前記第１支軸と第１嵌合部を嵌合状態に設定し、前記第２支軸と第２嵌合部を嵌合状態に設定したときに、圧着部とヒーター間に作用する前記長手方向に沿った圧着力が均等になるように設定されていることが好ましい。
【００２１】
従来の片方にのみ支軸が設けられている場合は、左右で機構が非対称であるため、圧着レバーで圧着したときに均一な圧着力が作用しない可能性があるが、本発明の場合は、圧着レバーの両側に支軸を有し同じ機構が設けられており、シール部の全域にわたって均一な圧着力を作成用させることができる。これにより、シール部のシール品質を良くすることができる。
【図面の簡単な説明】
【００２２】
【図１】ヒートシーラーの外観構成を示す斜視図
【図２】ヒートシーラーの内部構造を示す断面図
【図３】圧着レバーを開いた状態を示す断面図
【図４】第１支軸周りの側面図
【図４Ａ】第１支軸周りの側面図
【図５】図４の矢視Ｂを示す図
【図６】図５のＣ−Ｃ断面図
【図７】図５のＤ−Ｄ断面図
【図８】支軸周りを斜め下方から見た斜視図
【図９】第１支軸を分かりやすく説明する図
【図１０】嵌合状態を解除するときの動作を示す図
【図１１】圧着レバーを所定角度回転させた状態の支軸周りの構成を示す図
【図１２】圧着レバーを戻すときのロックレバーの状態を示す図
【図１３Ａ】圧着レバーを所定角度回転させる途中の支軸周りの構成を示す図
【図１３Ｂ】圧着レバーを所定角度回転させた状態の支軸周りの構成を示す図
【図１４】圧着レバーを取り外した状態を示す図
【図１５】基台の別実施形態を示す外観斜視図
【発明を実施するための形態】
【００２３】
本発明に係るヒートシーラーの好適な実施形態を図面を用いて説明する。図１は、本実施形態に係るヒートシーラーの外観構成を示す斜視図である。図２は、ヒートシーラーの内部構造を示す断面図である。図３は、圧着レバーを開いた状態の断面図である。
【００２４】
＜ヒートシーラーの構成＞
図１に示すように、ヒートシーラーは大きく分けて基台部１と圧着レバー２により構成される。基台部は、長手方向に沿って延びた形状を有しており、ヒーター部１００が設けられる。ヒーター部１００の表面は図１に示すように、長手方向に沿ってライン状に延びている。ヒーター部１００の表面には、保護のためにフッ素樹脂等の保護カバーが設けられる。また、基台部１には、ヒーターの駆動回路（不図示）が設けられる。ヒーター部１００には鉄ニッケル合金等の金属線により構成されたヒーターが配置され、電流を流すことで加熱される。また、熱を逃がすための機構も設けられる。ヒーター部１００の構成は、公知の構成を採用することができる。
【００２５】
図２等に示すように、圧着レバー２には、圧着部２００が設けられ、板バネ２０１により下方に付勢されている。圧着部２００はヒーター部１００と向かい合う位置に配置されており、ヒーター部１００と同様に長手方向に沿って延びている。圧着部２００は、シリコンゴム等の弾性体により構成される。圧着部２００は、圧着部支持体２０２により支持されており。圧着部支持体２０２はネジにより圧着レバー２の適宜の場所に固定される。圧着部支持体２０２に垂直方向の長穴２０２ａが形成されており、圧着部２００に取り付けられたピン２０２ｂによりガイドされる。これにより、圧着部２００の上下方向の移動を許容する。かかる圧着部２００により被シール物をシールするときに所定の圧着力を付与する。
【００２６】
基台部１の長手方向の両側に、第１支軸３と第２支軸３ｘが設けられる。第１支軸３側の機構と第２支軸３ｘ側の機構は全く同じであり、第２支軸側の部材は符号ｘを付けて区別する。圧着レバー２は、第１支軸３周りに回転することができ、第２支軸３ｘ周りにも回転することができる。すなわち、圧着レバー２は両開き型である。
【００２７】
図２の第１支軸周り（Ａで囲った部分）の詳細を説明する。図４は、支軸周りの側面図である。図４Ａは、図４においてロックレバー５を取り除いた状態の側面図である。図５は、図４の矢視Ｂである。図６は、図５のＣ−Ｃ断面図である。図７は、図５のＤ−Ｄ断面図である。図８は、支軸周りを斜め下方から見た斜視図である。図９は、第１支軸３を分かりやすく説明する図である。
【００２８】
第１支軸３は、水平軸部３０と垂直軸部３１により構成され、全体としてＴ字形である。水平軸部３０も垂直軸部３１も円筒形であり、一体結合されている。垂直軸部３１は、大径部３１ａと小径部３１ｂにより構成され（図９参照）、両者の境界には段差が形成される。この段差により第１支軸３の下方への移動が規制される。垂直軸部３１の下方にはバネ受け３３が設けられている。また、バネ受け３３の底面には、ストップリング３４が垂直軸部３１に形成されたリング溝（不図示）に結合されている。これにより、バネ受け３３の垂直下方への移動を規制する。
【００２９】
図２等に示すように、圧着レバー２の側に第１嵌合部として機能する嵌合体４が設けられている。嵌合体４は、ネジ４４により圧着レバー２に結合される。嵌合体４は、下方が開放された逆Ｕ字形に形成されており。第１支軸３の水平軸部３０に上方から嵌合し、また、嵌合状態の時は上方へ離脱することができる。嵌合体４は、第１支軸３の水平軸部３０周りに回転することができる。嵌合体４は、図５に示すように、水平軸部３０の長さよりも短くなっている。
【００３０】
嵌合体４の下方はＵ字形の先端部４０，４１が形成される（図４等参照）。また、嵌合体４の水平軸部３０の軸方向に沿った中央には切欠４２が形成される（図７、図８参照）。切欠４２の幅寸法は、水平軸部３１の径よりも少し大きくなるように設定されている（図５参照）。
【００３１】
ロック機構を構成するロックレバー５（ロック部材）が設けられている。ロックレバー５は、先端にロック爪５０を有し、水平軸部３０に係合している。図４の状態では、嵌合体４は上方に離脱できず、嵌合状態が維持される。ロックレバー５は、水平軸部３０の上方に設定された支軸５１の周りに回転可能である。
【００３２】
図５、図８に示すように、ロックレバー５は、嵌合体４の左右両側に一対配置される。これらロックレバー５同志は、連結部５２により連結されている。これら、ロックレバー５と連結部５２は、金属板のプレス加工で一体形成することができる。ロックレバー５には、コイルバネ５３により、水平軸部３０をロック（嵌合）する方向に付勢力が作用している。コイルバネ５３は、ねじりコイルバネであり、嵌合体４の左右両側に配置される（図５参照）。嵌合体４には、図４Ａに示すように、コイルバネ５３を収容するための凹部４５が形成されている。コイルバネ５３は、中心が支軸５１に嵌合し、長さの長い第１腕部５３ａと長さの短い第２腕部を有する。
【００３３】
図４Ａに示すように、第２腕部は、嵌合体４に形成された凹部４５に作用し、第１腕部５３ａは、ロックレバー５の連結部５２（図８参照）に形成されたバネ掛け孔５ａに作用している。これにより、ロックレバー５は、図４ａ、図７において、支軸５１周りの時計方向に付勢されている。すなわち、ロックレバー５のロック爪５０が水平軸部３０をロックする方向に常時作用している。図５に示すように、コイルバネ５３は、水平軸部３０の軸方向の左右に２カ所設けられているが、コイルバネ５３は軸方向中央の１個所に設けてもよい。
【００３４】
図５に示すように、支軸５１は、水平軸部３１の方向に沿って延びており、嵌合体４および左右のロックレバー５を貫通している。支軸５１には、ロックレバー５の外側の位置に、不図示のリング状溝が形成されストップリング５２が結合される。これにより、支軸５１の取り付け状態を安定させている。
【００３５】
図２に示すように圧着レバー２の上部には操作レバー７が２カ所設けられている。操作レバー７は、支軸７ａの周りに回転することができる。連携レバー７０が設けられており、支軸７０ａの周りに回転可能である。連携レバー７０の第１腕部７１は、リンク部材８を介して操作レバー７と連結されている。第２腕部７２は、ロックレバー５の連結部５２と当接している。なお、前述のコイルバネ５３により常時当接するように付勢されている。以上の機構により、操作レバー７を操作することで、ロックレバー５を回転させて、嵌合（ロック）状態を解除することができる。また、コイルバネ５３の作用により、連携レバー７０は、図２において、支軸７０ａ周りの反時計方向に付勢され、これに連動して、操作レバー７は支軸７ａ周りの時計方向に付勢される。すなわち、操作レバー７は、常時閉じる方向に付勢されている。
【００３６】
図４等に示すように、第１支軸３の垂直軸部３１は、ガイド体６により垂直方向の移動がガイドされる。ガイド体６は、略円筒形であり、ネジ６３により基台部１を構成する天板１０１の裏面に固定される。ガイド体６の中心部にガイド穴６ａが形成される。ガイド体６および天板１０１の上部にはワッシャー６０が配置されるが、ワッシャー６０は特に配置しなくてもよい。ガイド体６の側面には垂直方向に長穴６ｂが形成されており、この長穴６ｂを介して、イモねじ６１が垂直軸部３１にねじ込まれる。このイモねじ６１により、第１支軸３が垂直軸部３１の軸芯周りに不用意に回転するのを防止する。また、第１支軸３は、垂直方向の移動を許容されているが、そのために長穴６ｂとしている。
【００３７】
垂直軸部３１に設けられたバネ受け３３とガイド体６の下面の間に付勢手段としての圧縮コイルバネ６２が配置されている。従って、このコイルバネ６２により第１支軸３は垂直下方に付勢されることになる。
【００３８】
なお、以上の説明は第１支軸３の側の機構を説明してきたが、第２支軸３ｘ側の機構も全く同じであるので説明は省略する。
【００３９】
＜動作＞
つぎに、第２支軸３ｘ周りに圧着レバー２を回転させるときの動作を説明する。そのためには、第２支軸３ｘ側は嵌合状態を保持したまま、第１支軸３の方は嵌合状態を解除させる。そのために、第１支軸３側の操作レバー７を支軸７ａ周りに図２の反時計方向に回転させる。この状態を図１０に示す。
【００４０】
操作レバー７の回転により、リンク部材８により、連携レバー７０を支軸７０ａ周りに時計方向に回転させる。これにより、連携レバー７０の第２腕部７２がロックレバー５を支軸５１周りに反時計方向に回転させる。これにより、ロックレバー５のロック爪５０が移動して水平軸部３０を嵌合状態から解除させる。従って、圧着レバー２の第１支軸３側の嵌合状態が解除されて、図３に示すように、第２支軸３ｘ周りに回転させることができる。この状態で基台部１のヒーター部１００の上に被シール物のシール部を載置させればよい。なお、一旦、嵌合状態が解除されると、操作レバー７から手を離しても構わない。この場合、コイルバネ５３の作用により、操作レバー７は元の位置に復帰する。
【００４１】
一方、第２支軸３ｘ側は、嵌合状態が保持されたままである。図１１は、圧着レバー２を所定角度（６０゜）回転させた状態である。このとき、嵌合体４ｘに形成された切欠４２ｘが、第２支軸３ｘの垂直軸部３１ｘに当接する。従って、これ以上、圧着レバー２を回転させることはできない。
【００４２】
さらに、所定角度圧着レバー２が回転した状態で、嵌合体４ｘも一体的に第２支軸３ｘ周りに回転する。嵌合体４ｘの一方の先端部４０ｘが徐々に水平軸部３０ｘとガイド体６ｘの上面（すなわち、ワッシャー６０ｘの上面）の間に入り込んでいく。この時の状態を図１１に示す。先端部４０ｘが入り込むことで、圧縮コイルバネ６２ｘの付勢力に抗して水平軸部３０ｘを若干上方に持ち上げる。図１３Ａは、第１支軸３周りに回転させた場合の状態を示す（第２支軸３ｘの場合も同じ）。嵌合体４の先端部４０がワッシャー６０の表面に当接した状態を示す。
所定角度回転した状態では、先端部４０ｘが水平軸部３０ｘとガイド体６ｘの間に入り込んで挟持される。この時の状態を図１３Ｂにも示す。この時にコイルバネ６２ｘのバネ力が作用するので、先端部４０が水平軸部３０とワッシャー６０で挟持した状態が保持される。従って、所定角度圧着レバー２を回転させた状態で圧着レバー２から手を離しても、その状態が維持される。
【００４３】
被シール物（不図示）を基台部１の上に載置した後、圧着するために、圧着レバー２を元の位置に戻す。圧着レバー２を戻していくと、図１２に示すように、ロックレバー５のロック爪５０の先端が第１支軸３の水平軸部３０に当接する。その後、ロックレバー５が水平軸部３０の表面に押されて支軸５１周りに反時計方向に回転しながら下がっていき、元のロック状態に復帰する。
【００４４】
この状態でボタン（不図示）を押すことでヒーター部１００のヒーターを加熱してシール部をシールすることができる。被シール物を取り出すときは、再び、第１支軸３のロック状態を解除して圧着レバー２を開けばよい。
【００４５】
また、圧着レバー２が閉じている状態では、第１支軸３および第２支軸３ｘにおいて、均等にコイルバネ６３の付勢力が作用する。さらに、圧着部２００は板バネ２０１により圧着力を付与する。かかる構成によれば、長手方向にわたって均一な圧着力を付与することができ、シール部も長手方向にわたって均一に溶着することができる。
【００４６】
以上において、第２支軸３ｘ周りに圧着レバー２を回転させる動作を説明したが、第１支軸３周りに圧着レバー２を回転させる場合も同様の操作を行うことができる。また、第１支軸３と第２支軸３ｘの両方の嵌合状態を解除することで、圧着レバー２を基台部１から取り外すことができる。これにより、メンテナンス等を行いやすくなる。図１４に、圧着レバー２を外した状態を示す。
【００４７】
本発明に係るヒートシーラーは、圧着レバー２を第１支軸３と第２支軸３ｘの両方から開くことができるので、作業者が右利きであっても左利きであっても作業性を維持したまま対応することができる。
【００４８】
図１５は、さらに別実施形態を示す外観斜視図である。この実施形態では基台１の面積を大きくとっており、２方向（矢視Ｅ及びＦ）から被シール物を挿入することができ、１台で２台分の役割をすることができる。
【００４９】
＜別実施形態＞
ヒートシーラーに関しては、インパルス式ヒートシーラーに限らず、他の形式のヒートシーラーであってもよい。また、被シール物としては、樹脂製のフィルムが例示されるが、特定の素材の被シール物に限定されるものではない。
【００５０】
本実施形態では、嵌合状態を解除するのに操作レバー７を用いているが、操作部の構成としては、押しボタン形式も考えられ、特定の操作方法に限定されるものではない。
【００５１】
所定角度については６０゜に限定されるものではなく、他の角度であってもよい。
【符号の説明】
【００５２】
１        基台部
２        圧着レバー
３        第１支軸
３ｘ      第２支軸
４        嵌合体
５        ロックレバー
６        ガイド体
７        操作レバー
３０      水平軸部
３１      垂直軸部
３３      バネ受け
４０，４１      先端部
４２      切欠
５０      ロック爪
５３      コイルバネ
６２      圧縮コイルバネ
１００    ヒーター部
２００    圧着部
【図１】
2019108160.tif 000003
【図２】
2019108160.tif 000004
【図３】
2019108160.tif 000005
【図４】
2019108160.tif 000006
【図４Ａ】
2019108160.tif 000007
【図５】
2019108160.tif 000008
【図６】
2019108160.tif 000009
【図７】
2019108160.tif 000010
【図８】
2019108160.tif 000011
【図９】
2019108160.tif 000012
【図１０】
2019108160.tif 000013
【図１１】
2019108160.tif 000014
【図１２】
2019108160.tif 000015
【図１３Ａ】
2019108160.tif 000016
【図１３Ｂ】
2019108160.tif 000017
【図１４】
2019108160.tif 000018
【図１５】
2019108160.tif 000019